(57)【要約】  本発明は、情報転送の制御方法、装置、スマート端末、プログラム、及び記録媒体に関し、前記方法は、近距離無線通信ＮＦＣチップにより送信された情報出力の指示を受信し、前記ＮＦＣチップの情報出力機能はディセーブル状態にあり、且つ出力される情報は使用不能の状態にあるステップと、今回の情報出力をトリガーしたユーザーの身元に対して認証処理を実行するステップと、身元認証に許可されたことが確定された場合、前記ＮＦＣチップが前記情報を出力するように、前記ＮＦＣチップの情報出力機能をディセーブルさせ、且つ前記出力される情報を利用可能な状態に設置するステップと、を含む。本発明によれば、ＮＦＣの情報転送の安全性と信頼性をより向上させる。【選択図】図２
2018518721.tif 000002
【特許請求の範囲】
【請求項１】
近距離無線通信ＮＦＣチップにより送信された情報出力の指示を受信し、前記ＮＦＣチップの情報出力機能はディセーブル状態にあり、且つ出力される情報は使用不能の状態にあるステップと、
今回の情報出力をトリガーしたユーザーの身元に対して認証処理を実行するステップと、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するステップと、
を含むことを特徴とする情報出力の制御方法。
【請求項２】
前記近距離無線通信ＮＦＣチップにより送信された情報出力の指示を受信する前に、
前記ＮＦＣチップが所在するスマート端末が起動されたことを検出した場合、前記ＮＦＣチップが前記情報出力機能を中止するように設置するステップ、
をさらに含むことを特徴とする請求項１に記載の方法。
【請求項３】
前記出力される情報は、支払いの情報であり、
前記ＮＦＣチップの情報出力機能は、ＮＦＣカードエミュレーション機能であり、
前記カードエミュレーション機能は、ＮＦＣチップが所在するスマート端末を、読み取られた前記情報を記憶するためのエミュレーションカード装置として実行させることを特徴とする請求項１に記載の方法。
【請求項４】
前記今回の情報出力をトリガーしたユーザーの身元に対して認証処理を実行するステップは、
ユーザーの身元情報を獲得するステップと、
前記身元情報を予め記憶されている基準とする身元情報と比較し、２つの身元情報が一致する場合、身元認証に許可されたと確定するステップと、
を含むことを特徴とする請求項１に記載の方法。
【請求項５】
前記身元情報は指紋であることを特徴とする請求項４に記載の方法。
【請求項６】
前記身元認証処理は信頼された環境ＴＥＥで実行され、前記ＴＥＥは前記ＮＦＣチップが所在するスマート端末に位置することを特徴とする請求項１に記載の方法。
【請求項７】
ＮＦＣチップにより送信された情報出力の指示を受信するために用いられ、前記ＮＦＣチップの情報出力機能はディセーブル状態にあり、且つ出力される情報は使用不能の状態にある指示受信モジュールと、
今回の情報出力をトリガーしたユーザーの身元に対して認証処理を実行するために用いられる認証処理モジュールと、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するために用いられる状態制御モジュールと、
を含むことを特徴とする情報出力の制御装置。
【請求項８】
前記状態制御モジュールは、前記近距離無線通信ＮＦＣチップにより送信された情報出力の指示を受信する前に、前記ＮＦＣチップが所在するスマート端末が起動されたことを検出した場合、前記ＮＦＣチップが前記情報出力機能を中止するように設置するためにさらに用いられることを特徴とする請求項７に記載の装置。
【請求項９】
前記出力される情報は、支払いの情報であり、
前記ＮＦＣチップの情報出力機能は、ＮＦＣカードエミュレーション機能であり、
前記カードエミュレーション機能は、ＮＦＣチップが所在するスマート端末を、読み取られた前記情報を記憶するためのエミュレーションカード装置として実行させることを特徴とする請求項７に記載の装置。
【請求項１０】
前記認証処理モジュールは、今回の情報出力をトリガーしたユーザーの身元に対して認証処理を実行するために用いられる場合、
ユーザーの身元情報を獲得することと、
前記身元情報を予め記憶されている基準とする身元情報と比較し、２つの身元情報が一致する場合、身元認証に許可されたと確定することと、
を含むことを特徴とする請求項７に記載の装置。
【請求項１１】
前記身元情報は指紋であることを特徴とする請求項１０に記載の装置。
【請求項１２】
前記認証処理モジュールは信頼された実行環境ＴＥＥに位置し、前記ＴＥＥは前記ＮＦＣチップが所在するスマート端末に位置することを特徴とする請求項７に記載の装置。
【請求項１３】
プロセッサーと、
前記プロセッサーによって実行可能な命令を記憶するメモリと、を備え、
前記プロセッサーは、
近距離無線通信ＮＦＣチップにより送信された情報出力の指示を受信し、前記ＮＦＣチップの情報出力機能はディセーブル状態にあり、且つ出力される情報は使用不能の状態にあり、
今回の情報出力をトリガーしたユーザーの身元に対して認証処理を実行し、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するように構成されることを特徴とするスマート端末。
【発明の詳細な説明】
【技術分野】
【０００１】
当該出願は、出願番号が２０１６１０２６６８４１．６であって、出願日が２０１６年４月２６日である中国特許出願を基礎として優先権を主張し、当該中国特許出願の内容全体は、本願に援用される。
【０００２】
本発明は、スマート装置技術に関し、特に、情報転送の制御方法、装置、及びスマート端末に関する。
【背景技術】
【０００３】
現在、モバイル支払い技術の発展に伴って、スマート端末にＮＦＣ(ｎｅａｒｆｉｅｌｄ  ｃｏｍｍｕｎｉｃａｔｉｏｎ，近距離無線通信) の支払い機能が集積されるのは徐々に勢いになっており、多くの端末メーカーは、ますますＮＦＣの支払いをサポートし始め、この場合、どのようにＮＦＣ支払いの安全を確保するのかに、重大な関心を寄せている。関連技術において、ＮＦＣの支払いを行う場合、通常、ＰＯＳ端末がスマート端末により検出されさえすれば、端末は、ＮＦＣ機能にバインディングされた銀行カードを使用可能な状態にさせ、ユーザーが銀行カードの暗証番号を入力すると、ＰＯＳ端末はカードによる支払いを完成するようになっている。このような方法には安全性リスクがあり、ユーザーが、スマート端末と支払いの暗証番号を紛失した場合、経済的損失を受ける可能性がある。上述した銀行カードによる支払いは一例に過ぎず、前記一例から分かるように、ＮＦＣ機能を使用する場合、情報転送（例えば、ＰＯＳ端末と携帯電話がＮＦＣ支払いを行う）の安全性が低い。
【発明の概要】
【発明が解決しようとする課題】
【０００４】
前記のような従来技術に存在する問題を克服するために、本発明は、情報転送の安全性を向上するための、情報転送の制御方法、装置、及びスマート端末を提供する。
【課題を解決するための手段】
【０００５】
本発明の第１の態様によれば、
近距離無線通信ＮＦＣチップにより送信された情報出力の指示を受信し、前記ＮＦＣチップの情報出力機能はディセーブル（ｄｉｓａｂｌｅ;無効）状態にあり、且つ出力される情報は使用不能の状態にあるステップと、
今回の情報出力をトリガーしたユーザーの身元に対して認証処理を実行するステップと、
身元認証に許可されたことが確定された場合、前記ＮＦＣチップが前記情報を出力するように、前記ＮＦＣチップの情報出力機能をイネーブル（ｅｎａｂｌｅ;作動）させ、且つ前記出力される情報を使用可能な状態に設置するステップと、を含む情報出力の制御方法を提供する。
【０００６】
一例において、前記近距離無線通信ＮＦＣチップにより送信された情報出力の指示を受信する前に、前記方法は、前記ＮＦＣチップが所在するスマート端末が起動されたことを検出した場合、前記ＮＦＣチップが前記情報出力機能を中止するように設置するステップをさらに含む。
【０００７】
一例において、前記出力される情報は、支払いの情報であり、前記ＮＦＣチップの情報出力機能は、ＮＦＣカードエミュレーション機能であり、前記カードエミュレーション機能は、ＮＦＣチップが所在するスマート端末を、読み取られた前記情報を記憶するためのエミュレーションカード装置として実行させる。
【０００８】
一例において、前記今回の情報出力をトリガーしたユーザーの身元に対して認証処理を実行するステップは、
ユーザーの身元情報を獲得するステップと、
前記身元情報と予め記憶されている基準とする身元情報とを比較し、２つの身元情報が一致する場合、身元認証に許可されたと確定するステップと、を含む。
【０００９】
一例において、前記身元情報は指紋である。
【００１０】
一例において、前記身元認証処理は、信頼された実行環境ＴＥＥ（Ｔｒｕｓｔｅｄ  Ｅｘｅｃｕｔｉｏｎ  Ｅｎｖｉｒｏｎｍｅｎｔ）で実行され、前記ＴＥＥは、前記ＮＦＣチップが所在するスマート端末に位置する。
【００１１】
本発明の第２の態様によれば、
ＮＦＣチップにより送信された情報出力の指示を受信するために用いられ、前記ＮＦＣチップの情報出力機能はディセーブル状態にあり、且つ出力される情報は使用不能の状態にある指示受信モジュールと、
今回の情報出力をトリガーしたユーザーの身元に対して認証処理を実行するために用いられる認証処理モジュールと、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するために用いられる状態制御モジュールと、を含む情報出力の制御装置を提供する。
【００１２】
一例において、状態制御モジュールは、
前記近距離無線通信ＮＦＣチップにより送信された情報出力の指示を受信する前に、前記ＮＦＣチップが所在するスマート端末が起動されたことを検出した場合、前記ＮＦＣチップが前記情報出力機能を中止するように設置するためにさらに用いられる。
【００１３】
一例において、前記出力される情報は、支払いの情報であり、前記ＮＦＣチップの情報出力機能は、ＮＦＣカードエミュレーション機能であり、前記カードエミュレーション機能は、ＮＦＣチップが所在するスマート端末を、読み取られた前記情報を記憶するためのエミュレーションカード装置として実行させる。
【００１４】
一例において、認証処理モジュールは、今回の情報出力をトリガーしたユーザーの身元に対して認証処理を実行するために用いられる場合、
ユーザーの身元情報を獲得することと、
前記身元情報と予め記憶されている基準とする身元情報を比較し、２つの身元情報が一致する場合、身元認証に許可されたと確定することと、を含む。
【００１５】
一例において、前記身元情報は指紋である。
【００１６】
一例において、前記認証処理モジュールは、信頼された実行環境ＴＥＥに位置し、前記ＴＥＥは、前記ＮＦＣチップが所在するスマート端末に位置する。
【００１７】
本発明の第３の態様によれば、
プロセッサーと、
前記プロセッサーによって実行可能な命令を記憶するメモリと、を備え、
前記プロセッサーは、
近距離無線通信ＮＦＣチップにより送信された情報出力の指示を受信し、前記ＮＦＣチップの情報出力機能はディセーブル状態にあり、且つ出力される情報は使用不能の状態にあり、
今回の情報出力をトリガーしたユーザーの身元に対して認証処理を実行し、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するように構成されるスマート端末を提供する。
【発明の効果】
【００１８】
本発明に提供された技術によれば、以下のような技術効果が奏される。
【００１９】
ユーザーの身元認証に許可された後に、ＮＦＣチップの情報出力機能をイネーブルさせ、かつ情報を使用可能な状態にさせることによって、スマート端末と情報読み取り装置の間で、先方の存在が感知されたとしても、ＮＦＣ情報転送を随意に行うことができず、ユーザー身元に対しての認証を経てから情報を転送できで、ＮＦＣ情報転送の安全性と信頼性をより向上させる。
【００２０】
なお、前記一般的な記載及び後述の詳細な記載は、単なる例示的で解釈的な記載であり、本発明を限定しない。
【図面の簡単な説明】
【００２１】
以下の図面は、明細書に組み入れて本明細書の一部分を構成し、本発明に該当する実施例を例示するとともに、明細書とともに本発明の原理を解釈するように構成される。
【図１】一例示的な実施例に係るＮＦＣ情報転送のアプリケーションシナリオを示す図である。
【図２】一例示的な実施例に係る情報出力の制御方法を示すフローチャートである。
【図３】一例示的な実施例に係る支払いのアプリケーションシナリオにおけるＮＦＣ情報転送を示す図である。
【図４】他の例示的な実施例に係る情報出力の制御方法を示すフローチャートである。
【図５】一例示的な実施例に係る情報出力の制御装置を示す構成図である。
【図６】一例示的な実施例に係るスマート端末の構成を示す模式図である。
【発明を実施するための形態】
【００２２】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２３】
現在、ＮＦＣ機能は、更なる発展のチャンスを迎えており、ますます多くのスマート端末（例えば、携帯電話）において、ＮＦＣ技術による情報転送を重視しサポートしている。その中で、１つの比較的に重要なアプリケーションはＮＦＣ支払いであり、例えば、ａｐｐｌｅ  ｐａｙは、ＮＦＣ方式により支払うものであり、ＰＯＳ端末とユーザーのスマートフォンの間でＮＦＣの情報転送を行ことにより、携帯電話にバインディングされた銀行カードの支払いを完成する。
【００２４】
本発明の実施例の情報転送の制御方法は、ＮＦＣ方式による情報転送の安全性を向上するために提供される。図１は、ＮＦＣ支払いを例にして、ＮＦＣによる情報転送のアプリケーションシナリオを示す。スマート端末１１には、転送される情報が記憶され、例えば、支払いのアプリケーションシナリオにおいて、決済される銀行カードの関連情報は、転送される情報であってもよい。情報読み取り装置１２は、スマート端末１１における情報を読み取るために用いられる装置であり、例えば、ＰＯＳ端末であってもよい。
【００２５】
スマート端末１１は、ＮＦＣチップ１３と情報出力の制御装置１４を含むことができる。ここで、ＮＦＣチップ１３は、情報読み取り装置１２とＮＦＣ通信を行うことができ、情報出力の制御装置１４は、ＮＦＣチップ１３が情報読み取り装置１２に情報を出力できるか否かを制御することができる。本実施例では、情報を転送する前には、ＮＦＣチップ１３の情報出力機能をディセーブル状態に設置することができ、この場合、ＮＦＣチップ１３は、ＮＦＣ技術により情報読み取り装置１２へ情報を転送する機能を備えない。且つ、転送される情報を使用不能の状態に設置することができ、当該情報はＮＦＣチップ１３に記憶されてもよい。前記使用不能の状態は、ＮＦＣチップ１３が情報出力機能をイネーブルさせても、当該情報は転送されない状態を示す。
【００２６】
本発明の実施例における情報出力の制御装置１４は、図２に示す方法を実行することができ、どのような条件下でＮＦＣチップ１３が情報読み取り装置１２へ情報を転送できるのかを制御して、情報転送の安全性をできるだけ確保する。図２に示すように、前記方法は、以下のステップを含むことができる。
【００２７】
ステップ２０１において、近距離無線通信ＮＦＣチップにより送信された情報出力の指示を受信する。
【００２８】
例えば、情報出力の制御装置１４は、情報出力の指示を受信できる。例えば、ユーザーがスマート端末を情報読み取り装置１２に近寄せる場合、ＮＦＣチップ１３は情報読み取り装置１２を感知でき、且つ本発明の情報出力の制御装置１４に、現在１つの装置が情報の読み取りを請求していることを通知する。
【００２９】
ステップ２０２において、今回の情報出力をトリガーしたユーザーの身元に対して認証処理を実行する。
【００３０】
例えば、情報出力の制御装置１４は、ステップ２０１の指示を受信した後、ユーザーの身元に対する認証を実行し始める。支払いのアプリケーションシナリオを例にして、携帯電話の所有者ではない窃盗犯が、この携帯電話でＮＦＣ支払いを行う場合、情報出力の制御装置１４は、携帯電話の窃盗犯に対して身元認証を行うことができ、これによりＮＦＣ支払いの安全性を確保し、ユーザーの資金の安全性を保護する。
【００３１】
本ステップにおいて、身元認証処理を行う場合、根拠になる身元情報は指紋などの生理学情報であってもよく、ユーザーの身元を唯一に表明できる他の情報であってもよい。前記情報は、比較的安全な方法によってスマート端末に予め入力されて記憶され、本ステップにおける認証に用いられてもよい。
【００３２】
ステップ２０３において、身元認証に許可されたことが確定された場合、前記ＮＦＣチップの情報出力機能をイネーブルさせ、且つ前記出力される情報を利用可能な状態に設置して、ＮＦＣチップが情報を出力するようにさせる。
【００３３】
例えば、ステップ２０２において身元認証に許可された場合、情報出力の制御装置１４は、ＮＦＣチップを情報送信が可能に設置し、且つ送信される情報を使用可能に設置することによって、ＮＦＣチップは、ＮＦＣにより情報読み取り装置１２へ情報を転送し始めることができる。
【００３４】
本実施例における情報転送の制御方法から分かるように、スマート端末と情報読み取り装置１２との間で、先方の存在が感知されたとしても、ＮＦＣの情報転送を随意に行わず、ユーザーの身元に対する認証を経てから情報を転送でき、且つＮＦＣチップの情報転送機能と情報の可用性を制御でき、認証に許可された後に、対応する機能をイネーブルさせて、ＮＦＣによる情報転送の安全性と信頼性を向上する。
【００３５】
以下、ＮＦＣ支払いのアプリケーションシナリオを例にして、本発明における情報転送の制御方法の応用を説明する。
【００３６】
図３の実施例と組み合わせ、情報読み取り装置がＰＯＳ端末である場合を例にして説明すると、スマート端末１１におけるＮＦＣチップ１３は、ＮＦＣコントローラチップ１３１（ＮＦＣ  Ｃｏｎｔｒｏｌｌｅｒ、ＮＦＣＣ）と、内蔵セキュリティチップ（ＥＳＥ、即ち、ＮＦＣチップに埋め込まれたセキュリティチップ）１３２を含むことができる。ここで、ＮＦＣ支払いの応用において、支払い情報は、支払いに用いられる銀行カード情報であってもよく、いずれもＥＳＥ１３２に記憶され、ＥＳＥ１３２はＮＦＣＣ１３１に接続し、ＮＦＣＣ１３１は、ＰＯＳ端末１２とＮＦＣ通信を行うことができる。
【００３７】
通常、ＮＦＣＣ１３１は３つの機能を備え、即ち、カードエミュレーション機能、ポイントツーポイント機能、カードリーダー機能を備えてもよく、この支払いのアプリケーションシナリオにおいて、そのカードエミュレーション機能を使用する。上記３つの機能は以下のとおりである。
【００３８】
カードエミュレーション（Ｃａｒｄ  ｅｍｕｌａｔｉｏｎ）：前記カードエミュレーション機能は、ＮＦＣチップが所在するスマート端末を、読み取られた前記情報を記憶するためのエミュレーションカード装置とし、実際に、これは、ＲＦＩＤ（Ｒａｄｉｏ  Ｆｒｅｑｕｅｎｃｙ  Ｉｄｅｎｔｉｆｉｃａｔｉｏｎ、無線周波数識別）技術を採用したＩＣカードに相当し、例えば、マーケットでの決済カード、乗車カード、エントランスカード、乗車券、入場券など、多くのＩＣカード（クレジットカードが含まれる）の代わりに使用されることができる。
【００３９】
ポイントツーポイントモード（Ｐ２Ｐ  ｍｏｄｅ）：ポイントツーポイントモードは赤外線とほぼ同じであり、データを交換するために用いられ、ただし、転送の距離が短く、転送の作成速度が速く、転送の速度も速く、消費電力が低い（ブルートゥースも類似する）。２つのＮＦＣ機能を備える装置を無線リンクさせると、ポイントツーポイントのデータ転送を実現でき、例えば、音楽のダウンロード、写真の交換、設備アドレス帳の同期化などが挙げられる。従って、ＮＦＣを通じて、デジタルカメラやパソコンや携帯電話などの複数の装置の間で情報やサービスを交換できる。
【００４０】
カードリーダーモード（Ｒｅａｄｅｒ／ｗｒｉｔｅｒ  ｍｏｄｅ）：非接触カードリーダーとして使用され、例えば、ポスターや展覧情報の電子タグから関連情報を読み取る。このモードは、ＮＦＣ携帯電話の間でのデータ交換する達成することもでき、企業環境中のファイル共有又はマルチプレイヤーのゲームアプリケーションに多くの便利を与える。
【００４１】
ＮＦＣＣ１３１がカードエミュレーション機能をサポートし、且つＥＳＥ１３２中の銀行カードがアクティブ状態、即ち、利用可能な状態にありさえすれば、ＮＦＣＣ１３１は、ＮＦＣ通信方式によりＥＳＥ１３２における銀行カード情報をＰＯＳ端末に転送し、ＮＦＣ支払いを実現できる。
【００４２】
図３において、本発明の実施例における情報出力の制御装置１４は、指示受信モジュール１４１と、認証処理モジュール１４２と、状態制御モジュール１４３を含むことができる。なお、前記３つの機能モジュールは、論理的に例示された区分方式に過ぎず、具体的な実施では、これに限定されるものではない。例えば、これらの機能を２つのモジュールに分けることもでき、又は、その中の一部のモジュールが同じアプリケーションに位置してもよく、例えば、指示受信モジュール１４１と状態制御モジュール１４３が同じアプリケーションに属し、認証処理モジュール１４２が他のアプリケーションに属するとか、又は、３つのモジュールが同じアプリケーションに位置するなどである。また、本発明の実施例は、認証の安全性をさらに高めるために、認証処理モジュール１４２を信頼された実行環境（Ｔｒｕｓｔｅｄ  ｅｘｅｃｕｔｉｏｎ  ｅｎｖＩｒｏｎｍｅｎｔ，ＴＥＥ）に配置し、前記ＴＥＥもＮＦＣチップが所在するスマート端末に位置する。
【００４３】
図３に示すアプリケーションシナリオ、及び図４に示すフローチャートを組み合わせて、ＮＦＣ支払いのアプリケーションシナリオにおいて実行される情報転送の制御方法を説明する。
【００４４】
ステップ４０１において、ＮＦＣチップが所在するスマート端末が起動されたことを検出した場合、前記ＮＦＣチップが情報出力機能を中止するように設置する。
【００４５】
例えば、スマート端末が携帯電話である場合を例にして、ユーザーのスマートフォンが起動される場合、情報出力の制御装置１４における状態制御モジュール１４３は、ＮＦＣＣ１３１の情報転送機能を、ディセーブル状態に設置することができ、本実施例では、ＮＦＣＣ１３１のカードエミュレーション機能を中止又はサポートしない状態に設置し、例えば、この場合、ＮＦＣＣは、ポイントツーポイント機能とカードリーダー機能をサポートできる。さらに、ＮＦＣチップ１３に記憶された出力される情報を使用不能の状態に設置でき、前記情報はＥＳＥ１３２に記憶されてもよい。 
このような携帯電話が起動される場合、ＮＦＣチップの情報出力機能を制御し、記憶されている情報を無効にさせる方式は、情報出力の不安全を効果的に回避することができ、後続の情報出力条件を満たすことが確認された場合に限り、ＮＦＣチップの情報出力を許可することによって、情報出力の安全を確保する。 
ステップ４０２において、近距離無線通信ＮＦＣチップにより送信された情報出力の指示を受信する。
【００４６】
例えば、ユーザーが携帯電話をＰＯＳ端末に近寄せる場合、携帯電話におけるＮＦＣＣ１３１は、ＰＯＳ端末の存在を感知でき、且つ情報出力の制御装置１４における指示受信モジュール１４１に情報出力指示を送信して、現在ＰＯＳ端末がＮＦＣチップにおける情報の獲得を請求していることを通知するために用いられる。例えば、ＮＦＣ支払いのプリケーションシナリオにおいてＥＳＥ１３２に記憶されている銀行カードの情報である。
【００４７】
ステップ４０３において、ユーザーの身元情報を獲得する。
【００４８】
例えば、指示受信モジュール１４１はＴＥＥ環境における認証処理モジュール１４２をコールすることができ、前記認証処理モジュール１４２に、今回の情報出力をトリガーしたユーザーの身元に対して認証処理を実行するように指示する。身元情報が指紋である場合を例にして、認証処理モジュール１４２はユーザーに指紋検証を提示することができ、且つ次のステップにおける指紋検証を行う。ＴＥＥ環境での指紋検証は、認証の安全性をさらに確保できる。また、認証処理モジュール１４２は他のモジュールに指紋検証を行うように指示でき、他のモジュールの指紋検証結果を獲得するなど、様々な実施形態が挙げられる。
【００４９】
ステップ４０４において、前記身元情報と予め記憶されている基準とする身元情報を比較し、２つの身元情報が一致する場合、身元認証に許可されたと確定する。
【００５０】
このステップにおいて、読み取られたユーザーの指紋と予め記憶されている基準とする身元情報を比較することができ、前記基準とする身元情報は、信頼されたユーザーの本物の指紋であり、例えば、携帯電話の所有者が、安全なルートにより予め携帯電話に入力したものであってもよい。
【００５１】
本ステップの検証結果が許可されなかった場合、即ち、ユーザーの指紋と基準指紋が一致しない場合、ユーザーに提示し、且つユーザーのＮＦＣ支払い機能への使用を拒絶する。本ステップの検証結果が許可された場合、ステップ４０５を実行し続ける。
【００５２】
ステップ４０５において、前記出力される情報を利用可能な状態に設置する。
【００５３】
例えば、認証処理モジュールは、ユーザーの指紋認証が許可されたことを確定した後、ＥＳＥ１３２における銀行カードをアクティブして、銀行カードを利用可能な状態にさせ、且つ認証処理モジュール１４２は、指紋検証結果を状態制御モジュール１４３に通知することもできる。
【００５４】
ステップ４０６において、身元認証に許可されたことが確定された場合、ＮＦＣチップの情報出力機能をイネーブルさせる。
【００５５】
例えば、状態制御モジュール１４３は、ユーザーが認証に許可されたことが確定された場合、ＮＦＣＣ１３１がカードエミュレーション機能をサポートするように設置することができる。この場合、ＮＦＣＣ１３１は既にカードエミュレーションをサポートすることができ、且つＥＳＥ１３２における銀行カードがアクティブ状態にあるため、ＮＦＣチップは、ＰＯＳ端末に情報を出力する機能をすでに備えている。
【００５６】
ステップ４０７において、ユーザーの暗証番号を受信し、支払いを行う。
【００５７】
例えば、ユーザーは、銀行カードに対応する暗証番号をＰＯＳ端末に入力でき、ＰＯＳ端末とＮＦＣチップの間で情報を転送でき、ＮＦＣ支払いを完成する。
【００５８】
本実施例における情報転送の制御方法から分かるように、スマート端末と情報読み取り装置１２の間で、先方の存在が感知されたとしても、ＮＦＣ情報を随意に転送できず、ユーザーの身元に対する認証を経てから情報を転送できる。且つ、ＮＦＣチップの情報転送機能と情報の可用性を制御でき、認証に許可された後、対応する機能をイネーブルさせることによって、ＮＦＣの情報転送の安全性と信頼性をより向上し、且つ認証がＴＥＥ環境で実行される場合は、安全性をさらに確保できる。
【００５９】
本発明の実施例における情報出力を制御する方法を実現するために、本発明は、情報出力の制御装置をさらに提供する。図３の例示を組み合わせて、スマート端末における前記情報出力の制御装置の構成模式を分かることができる。本実施例は、前記装置の構成を簡単に説明するのみで、その詳しい動作原理は、方法に係る実施例部分の説明を参照することができる。図５に示すように、前記情報出力の制御装置は、指示受信モジュール１４１と、認証処理モジュール１４２と、状態制御モジュール１４３とを含むことができる。
【００６０】
指示受信モジュール１４１は、ＮＦＣチップにより送信された情報出力の指示を受信するために用いられ、前記ＮＦＣチップの情報出力機能はディセーブル状態にあり、且つ出力される情報は使用不能の状態にある。
【００６１】
認証処理モジュール１４２は、今回の情報出力をトリガーしたユーザーの身元に対して認証処理を実行するために用いられる。
【００６２】
状態制御モジュール１４３は、身元認証に許可されたことが確定された場合、前記ＮＦＣチップが前記情報を出力するように、前記ＮＦＣチップの情報出力機能をイネーブルさせ、且つ前記出力される情報を利用可能な状態に設置するために用いられる。
【００６３】
一例において、状態制御モジュール１４３は、前記近距離無線通信ＮＦＣチップにより送信された情報出力の指示を受信する前に、前記ＮＦＣチップが所在するスマート端末が起動されたことを検出した場合、前記ＮＦＣチップが情報出力機能を中止するように設置するためにも用いられる。
【００６４】
一例において、前記出力される情報は支払いの情報であり、前記ＮＦＣチップの情報出力機能はＮＦＣカードエミュレーション機能であり、前記カードエミュレーション機能は、ＮＦＣチップが所在するスマート端末を、読み取られた前記情報を記憶するためのエミュレーションカード装置とさせる。
【００６５】
一例において、認証処理モジュール１４２は、今回の情報出力をトリガーしたユーザーの身元に対して認証処理を実行するために用いられる場合、ユーザーの身元情報を獲得し、前記身元情報と予め記憶されている基準とする身元情報を比較し、２つの身元情報が一致する場合、身元認証に許可されたと確定する。例えば、前記身元情報は指紋である。
【００６６】
一例において、身元認証の安全性をさらに強化するために、前記認証処理モジュールは、信頼された実行環境ＴＥＥに位置し、前記ＴＥＥは前記ＮＦＣチップが所在するスマート端末に位置する。
【００６７】
図６は、一例示的実施例に係るスマート端末６００を示すブロック図であり、例えば、装置６００は、携帯電話、コンピュータ、デジタルブロードキャスト端末、メッセージ送受信機、ゲームコンソール、タブレットデバイス、医療装置、フィットネス装置、個人向け携帯型情報端末装置（ＰＤＡ）などであってもよい。
【００６８】
図６を参照すると、装置６００は、処理ユニット６０２、メモリ６０４、電源ユニット６０６、マルチメディアユニット６０８、オーディオユニット６１０、入力/出力（Ｉ/Ｏ）インタフェース６１２、センサーユニット６１４、及び通信ユニット６１６からなる群から選ばれる少なくとも１つを備えてもよい。
【００６９】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサー６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【００７０】
メモリ６０４は、装置６００での操作をサポートするように、各種のデータを記憶するように配置される。これらのデータは、例えば、装置６００で何れのアプリケーション又は方法を操作するための命令、連絡先データ、電話帳データ、メッセージ、画像、ビデオなどを含む。メモリ６０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ−Ｏｎｌｙ Ｍｅｍｏｒｙ）、ＰＲＯＭ（Ｐｒｏｇｒａｍｍａｂｌｅ Ｒｅａｄ−Ｏｎｌｙ Ｍｅｍｏｒｙ）、ＲＯＭ（Ｒｅａｄ−Ｏｎｌｙ Ｍｅｍｏｒｙ）、磁気メモリ、フラッシュメモリ、磁気ディスク、或いは光ディスクにより、或いはそれらの組み合わせにより実現することができる。
【００７１】
本実施例において、メモリ６０４はプロセッサによって実行可能な命令を記憶し、プロセッサは、前記命令を実行することによって、
近距離無線通信ＮＦＣチップにより送信された情報出力の指示を受信し、前記ＮＦＣチップの情報出力機能はディセーブル状態にあり、且つ出力される情報は使用不能の状態にあり、
今回の情報出力をトリガーしたユーザーの身元に対して認証処理を実行し、身元認証に許可されたことが確定された場合、前記ＮＦＣチップが前記情報を出力するように、前記ＮＦＣチップの情報出力機能をイネーブルさせ、且つ前記出力される情報を利用可能な状態に設置するように構成される。
【００７２】
電源ユニット６０６は、装置６００の各種ユニットに電力を供給するためのものであり、電源管理システム、１つ又は複数の電源、及び装置６００のために電力を生成、管理及び分配することに関連する他のユニットを備えてもよい。
【００７３】
マルチメディアユニット６０８は、前記装置６００とユーザーとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、タッチやスライド操作と関連する持続時間や圧力も感知できる。一実施例では、マルチメディアユニット６０８は、フロントカメラ及び/又はバックカメラを有してもよい。装置６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００７４】
オーディオユニット６１０は、オーディオ信号を出力及び/又は入力するように配置される。例えば、オーディオユニット６１０は、マイクロフォン（ＭＩＣ）を有してもよい。装置６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。一実施例では、オーディオユニット６１０は、オーディオ信号を出力するためのスピーカをさらに備えてもよい。
【００７５】
Ｉ/Ｏインタフェース６６は、処理ユニット６０２と外部のインタフェースモジュールとの間にインタフェースを提供するためのものである。上記外部のインタフェースモジュールは、キーボードや、クリックホイールや、ボタンなどであってもよい。これらのボタンは、ホームボタンや、音量ボタンや、スタートボタンや、ロックボタンであってもよいが、それらに限らない。
【００７６】
センサーユニット６１４は、装置６００のために各方面の状態を評価する少なくとも１つのセンサーを備えてもよい。例えば、センサーユニット６１４は、装置６００のオン/オフ状態や、ユニットの相対的な位置を検出することができる。例えば、前記ユニットは、装置６００のディスプレイ及びキーパッドである。センサーユニット６１４は、装置６００又は装置６００の１つのユニットの位置の変化、ユーザーによる装置６００への接触の有無、装置６００の方向又は加速/減速、装置６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【００７７】
通信ユニット６１６は、装置６００と他の設備の間との無線又は有線通信を便利にさせるように配置される。装置６００は、通信標準に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離無線通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【００７８】
例示的な実施例において、装置６００は、上述した情報転送の制御方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子装置によって実現されてもよい。
【００７９】
また、例示的な実施例において、命令を有する非一時的コンピュータ読み取り可能な記録媒体、例えば、命令を有するメモリ６０４をさらに提供する。前記命令は、装置６００のプロセッサー６２０により実行されて上述した方法を実現する。例えば、前記方法は、近距離無線通信ＮＦＣチップにより送信された情報出力の指示を受信し、前記ＮＦＣチップの情報出力機能はディセーブル状態にあり、且つ出力される情報は使用不能の状態にあるステップと、今回の情報出力をトリガーしたユーザーの身元に対して認証処理を実行するステップと、身元認証に許可されたことが確定された場合、前記ＮＦＣチップが前記情報を出力するように、前記ＮＦＣチップの情報出力機能をイネーブルさせ、且つ前記出力される情報を利用可能な状態に設置するステップと、を含む。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリなどであってもよい。
【００８０】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８１】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2018518721.tif 000003
【図２】
2018518721.tif 000004
【図３】
2018518721.tif 000005
【図４】
2018518721.tif 000006
【図５】
2018518721.tif 000007
【図６】
2018518721.tif 000008
【手続補正書】
【提出日】平成28年10月5日(2016.10.5)
【手続補正２】
【補正対象書類名】明細書
【補正対象項目名】０００２
【補正方法】変更
【補正の内容】
【０００２】
本発明は、スマート装置技術に関し、特に、情報転送の制御方法、装置、スマート端末、プログラム、及び記録媒体に関する。
【手続補正３】
【補正対象書類名】明細書
【補正対象項目名】０００４
【補正方法】変更
【補正の内容】
【０００４】
前記のような従来技術に存在する問題を克服するために、本発明は、情報転送の安全性を向上するための、情報転送の制御方法、装置、スマート端末、プログラム、及び記録媒体を提供する。
【手続補正４】
【補正対象書類名】明細書
【補正対象項目名】００１７
【補正方法】変更
【補正の内容】
【００１７】
本発明の第３の態様によれば、
プロセッサーと、
前記プロセッサーによって実行可能な命令を記憶するメモリと、を備え、
前記プロセッサーは、
近距離無線通信ＮＦＣチップにより送信された情報出力の指示を受信し、前記ＮＦＣチップの情報出力機能はディセーブル状態にあり、且つ出力される情報は使用不能の状態にあり、
今回の情報出力をトリガーしたユーザーの身元に対して認証処理を実行し、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するように構成されるスマート端末を提供する。
本発明の第４の態様によれば、
プロセッサーに実行されることにより、上記の情報出力の制御方法を実現する、プログラムを提供する。
本発明の第５の態様によれば、
上記プログラムが記録されたコンピュータ読取可能な記録媒体を提供する。
【手続補正５】
【補正対象書類名】特許請求の範囲
【補正対象項目名】全文
【補正方法】変更
【補正の内容】
【特許請求の範囲】
【請求項１】
近距離無線通信ＮＦＣチップにより送信された情報出力の指示を受信し、前記ＮＦＣチップの情報出力機能はディセーブル状態にあり、且つ出力される情報は使用不能の状態にあるステップと、
今回の情報出力をトリガーしたユーザーの身元に対して認証処理を実行するステップと、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するステップと、
を含むことを特徴とする情報出力の制御方法。
【請求項２】
前記近距離無線通信ＮＦＣチップにより送信された情報出力の指示を受信する前に、
前記ＮＦＣチップが所在するスマート端末が起動されたことを検出した場合、前記ＮＦＣチップが前記情報出力機能を中止するように設置するステップ、
をさらに含むことを特徴とする請求項１に記載の情報出力の制御方法。
【請求項３】
前記出力される情報は、支払いの情報であり、
前記ＮＦＣチップの情報出力機能は、ＮＦＣカードエミュレーション機能であり、
前記カードエミュレーション機能は、ＮＦＣチップが所在するスマート端末を、読み取られた前記情報を記憶するためのエミュレーションカード装置として実行させることを特徴とする請求項１に記載の情報出力の制御方法。
【請求項４】
前記今回の情報出力をトリガーしたユーザーの身元に対して認証処理を実行するステップは、
ユーザーの身元情報を獲得するステップと、
前記身元情報を予め記憶されている基準とする身元情報と比較し、２つの身元情報が一致する場合、身元認証に許可されたと確定するステップと、
を含むことを特徴とする請求項１に記載の情報出力の制御方法。
【請求項５】
前記身元情報は指紋であることを特徴とする請求項４に記載の情報出力の制御方法。
【請求項６】
前記身元認証処理は信頼された環境ＴＥＥで実行され、前記ＴＥＥは前記ＮＦＣチップが所在するスマート端末に位置することを特徴とする請求項１に記載の情報出力の制御方法。
【請求項７】
ＮＦＣチップにより送信された情報出力の指示を受信するために用いられ、前記ＮＦＣチップの情報出力機能はディセーブル状態にあり、且つ出力される情報は使用不能の状態にある指示受信モジュールと、
今回の情報出力をトリガーしたユーザーの身元に対して認証処理を実行するために用いられる認証処理モジュールと、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するために用いられる状態制御モジュールと、
を含むことを特徴とする情報出力の制御装置。
【請求項８】
前記状態制御モジュールは、前記近距離無線通信ＮＦＣチップにより送信された情報出力の指示を受信する前に、前記ＮＦＣチップが所在するスマート端末が起動されたことを検出した場合、前記ＮＦＣチップが前記情報出力機能を中止するように設置するためにさらに用いられることを特徴とする請求項７に記載の情報出力の制御装置。
【請求項９】
前記出力される情報は、支払いの情報であり、
前記ＮＦＣチップの情報出力機能は、ＮＦＣカードエミュレーション機能であり、
前記カードエミュレーション機能は、ＮＦＣチップが所在するスマート端末を、読み取られた前記情報を記憶するためのエミュレーションカード装置として実行させることを特徴とする請求項７に記載の情報出力の制御装置。
【請求項１０】
前記認証処理モジュールは、今回の情報出力をトリガーしたユーザーの身元に対して認証処理を実行するために用いられる場合、
ユーザーの身元情報を獲得することと、
前記身元情報を予め記憶されている基準とする身元情報と比較し、２つの身元情報が一致する場合、身元認証に許可されたと確定することと、
を含むことを特徴とする請求項７に記載の情報出力の制御装置。
【請求項１１】
前記身元情報は指紋であることを特徴とする請求項１０に記載の情報出力の制御装置。
【請求項１２】
前記認証処理モジュールは信頼された実行環境ＴＥＥに位置し、前記ＴＥＥは前記ＮＦＣチップが所在するスマート端末に位置することを特徴とする請求項７に記載の情報出力の制御装置。
【請求項１３】
プロセッサーと、
前記プロセッサーによって実行可能な命令を記憶するメモリと、を備え、
前記プロセッサーは、
近距離無線通信ＮＦＣチップにより送信された情報出力の指示を受信し、前記ＮＦＣチップの情報出力機能はディセーブル状態にあり、且つ出力される情報は使用不能の状態にあり、
今回の情報出力をトリガーしたユーザーの身元に対して認証処理を実行し、
身元認証に許可されたことが確定された場合、前記ＮＦＣチップが前記情報を出力するように、前記ＮＦＣチップの情報出力機能をイネーブルさせ、且つ前記出力される情報を利用可能な状態に設置するように構成されることを特徴とするスマート端末。
【請求項１４】
プロセッサーに実行されることにより、請求項１〜６のいずれか１項に記載の情報出力の制御方法を実現する、プログラム。
【請求項１５】
請求項１４に記載のプログラムが記録されたコンピュータ読取可能な記録媒体。
【国際調査報告】
2018518721.tif 000009
2018518721.tif 000010
2018518721.tif 000011
2018518721.tif 000012